【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】
撮像した撮像画像を記憶する記憶手段と、
上記記憶手段に記憶された撮像画像を表示する第１の表示手段と、
上記第１の表示手段に表示された撮像画像の加工方法を設定する設定手段と、
上記設定手段によって設定された内容に基づいて、上記第１の表示手段に表示された撮像画像を加工する加工手段と、
上記加工手段で加工された撮像画像を上記記憶手段に記憶させる記憶制御手段と、
上記記憶制御手段によって記憶された上記加工手段で加工済みの撮像画像を外観態様の一部として表示する第２の表示手段と、
を具備したことを特徴とする電子カメラ。
【請求項２】
上記外観態様の一部として上記第２の表示手段に表示される撮像画像は、当該電子カメラが撮影可能な状態の時に表示されることを特徴とする請求項１記載の電子カメラ。
【請求項３】
さらに、上記外観態様の一部として上記第２の表示手段に表示される加工済み画像の点灯または消灯を切換える切換え手段を有していることを特徴とする請求項１記載の電子カメラ。
【請求項４】
上記第２の表示手段は、上記第１のモニタ手段よりも分解能または再現可能色調数の少なくとも一方が少ないことを特徴とする請求項１に記載の電子カメラ。
【請求項５】
上記第１の表示手段と上記第２の表示手段は、上記電子カメラの外装部材の異なる面に設けられていることを特徴とする請求項１に記載の電子カメラ。
【請求項６】
上記記憶手段は、上記第１の表示手段に表示するための撮像画像を記憶する第１の記憶手段と、上記第２の表示手段に表示するための加工済み画像を記憶する第２の記憶手段と、からなることを特徴とする請求項１に記載の電子カメラ。
【請求項７】
上記設定手段は、明暗を判定して所定の明るさ以下のものは黒く塗りつぶす浮き出し処理、輪郭を抜き出して強調する輪郭強調処理、あるポイントのみを明るくする照明効果処理、隣接する各ピクセルの値を平均化するぼかし効果処理、又はピクセル間の差をデータとするエンボス加工処理に設定可能であることを特徴とする請求項１に記載の電子カメラ。
【請求項８】
上記第２の表示手段に上記加工済み画像が表示されている際は、上記第１の表示手段が消灯することを特徴とする請求項１に記載の電子カメラ。
【手続補正２】
【補正対象書類名】明細書
【補正対象項目名】０００８
【補正方法】変更
【補正の内容】
【０００８】
本発明は、上記問題に鑑みてなされたもので、その目的とするところは、カメラのデザインを、所有者の趣味性に併せて好適なデザインに変更可能とする電子カメラを提供することにある。
【手続補正３】
【補正対象書類名】明細書
【補正対象項目名】０００９
【補正方法】変更
【補正の内容】
【０００９】
【課題を解決するための手段】
上記目的を達成するために、本発明の第１の態様では、撮像した撮像画像を記憶する記憶手段と、上記記憶手段に記憶された撮像画像を表示する第１の表示手段と、上記第１の表示手段に表示された撮像画像の加工方法を設定する設定手段と、上記設定手段によって設定された内容に基づいて、上記第１の表示手段に表示された撮像画像を加工する加工手段と、上記加工手段で加工された撮像画像を上記記憶手段に記憶させる記憶制御手段と、上記記憶制御手段によって記憶された上記加工手段で加工済みの撮像画像を外観態様の一部として表示する第２の表示手段と、を具備したことを特徴とする電子カメラが提供される。
本発明の第２の態様では、上記第１の態様において、上記外観態様の一部として上記第２の表示手段に表示される撮像画像は、当該電子カメラが撮影可能な状態の時に表示されることを特徴とする電子カメラが提供される。 
本発明の第３の態様では、上記第１の態様において、さらに、上記外観態様の一部として上記第２の表示手段に表示される加工済み画像の点灯または消灯を切換える切換え手段を有していることを特徴とする電子カメラが提供される。 
本発明の第４の態様では、上記第１の態様において、上記第２の表示手段は、上記第１のモニタ手段よりも分解能または再現可能色調数の少なくとも一方が少ないことを特徴とする電子カメラが提供される。 
本発明の第５の態様では、上記第１の態様において、上記第１の表示手段と上記第２の表示手段は、上記電子カメラの外装部材の異なる面に設けられていることを特徴とする電子カメラが提供される。 
本発明の第６の態様では、上記第１の態様において、上記記憶手段は、上記第１の表示手段に表示するための撮像画像を記憶する第１の記憶手段と、上記第２の表示手段に表示するための加工済み画像を記憶する第２の記憶手段と、からなることを特徴とする電子カメラが提供される。 
本発明の第７の態様では、上記第１の態様において、上記設定手段は、明暗を判定して所定の明るさ以下のものは黒く塗りつぶす浮き出し処理、輪郭を抜き出して強調する輪郭強調処理、あるポイントのみを明るくする照明効果処理、隣接する各ピクセルの値を平均化するぼかし効果処理、又はピクセル間の差をデータとするエンボス加工処理に設定可能であることを特徴とする電子カメラが提供される。 
本発明の第８の態様では、上記第１の態様において、上記第２の表示手段に上記加工済み画像が表示されている際は、上記第１の表示手段が消灯することを特徴とする電子カメラが提供される。 
上記第１乃至第８の態様によれば、以下の作用が奏される。 
即ち、本発明の第１の態様では、記憶手段により撮像した撮像画像が記憶され、第１の表示手段により上記記憶手段に記憶された撮像画像が表示され、設定手段により上記第１の表示手段に表示された撮像画像の加工方法が設定され、加工手段により上記設定手段によって設定された内容に基づいて、上記第１の表示手段に表示された撮像画像が加工され、記憶制御手段により上記加工手段で加工された撮像画像が上記記憶手段に記憶され、第２の表示手段により上記記憶制御手段によって記憶された上記加工手段で加工済みの撮像画像が外観態様の一部として表示される。 
本発明の第２の態様では、上記第１の態様において、上記外観態様の一部として上記第２の表示手段に表示される撮像画像は、当該電子カメラが撮影可能な状態の時に表示される。 
本発明の第３の態様では、上記第１の態様において、さらに、切換え手段により、上記外観態様の一部として上記第２の表示手段に表示される加工済み画像の点灯または消灯が切換えられる。 
本発明の第４の態様では、上記第１の態様において、上記第２の表示手段は、上記第１のモニタ手段よりも分解能または再現可能色調数の少なくとも一方が少ない。 
本発明の第５の態様では、上記第１の態様において、上記第１の表示手段と上記第２の表示手段は、上記電子カメラの外装部材の異なる面に設けられる。 
本発明の第６の態様では、上記第１の態様において、上記記憶手段では、第１の記憶手段により上記第１の表示手段に表示するための撮像画像が記憶され、第２の記憶手段により上記第２の表示手段に表示するための加工済み画像が記憶される。 
本発明の第７の態様では、上記第１の態様において、上記設定手段により、明暗を判定して所定の明るさ以下のものは黒く塗りつぶす浮き出し処理、輪郭を抜き出して強調する輪郭強調処理、あるポイントのみを明るくする照明効果処理、隣接する各ピクセルの値を平均化するぼかし効果処理、又はピクセル間の差をデータとするエンボス加工処理に設定される。 
本発明の第８の態様では、上記第１の態様において、上記第２の表示手段に上記加工済み画像が表示されている際は、上記第１の表示手段が消灯される。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００４９
【補正方法】変更
【補正の内容】
【００４９】  
【発明の効果】
以上詳述したように、本発明によれば、カメラ使用時の気分やシチュエーション等、所有者の趣味性に応じて自分のカメラのデザインをアレンジできる電子カメラを提供することができる。